Podtech/llm-jp-corpus-v4-ja_patent huggingface dataset:
【手続補正書】
【提出日】平成17年1月5日(2005.1.5)
【手続補正１】
【補正対象書類名】明細書
【補正対象項目名】特許請求の範囲
【補正方法】変更
【補正の内容】
【特許請求の範囲】
【請求項１】
支持板およびこの支持板の両面に配した濾過膜を有する濾過膜エレメントと、その濾過膜エレメントの複数枚を互いに並行するように収納したハウジングとを有し、濾過膜エレメントの少なくとも一方の外側部には凹部が設けられ、ハウジングの内側部には濾過膜エレメントの凹部が緩嵌する凸部が設けられていることを特徴とする濾過膜モジュール。
【請求項２】
ハウジングの内側部に設けられた凸部の数が、濾過膜エレメントに設けられた凹部の数よりも少ない、請求項１に記載の濾過膜モジュール。
【請求項３】
並行する複数枚の濾過膜エレメントに濾過膜エレメントの厚み方向に向かう力が加えられ、それら複数枚の濾過膜エレメントが互いに押圧されている、請求項１または２に記載の濾過膜モジュール。
【請求項４】
前記濾過膜エレメントの厚み方向に向かう力を加える手段として、押圧部材が用いられていることを特徴とする請求項３に記載の濾過膜モジュール。
【請求項５】
濾過膜エレメントの少なくとも一方の外側部に突部が設けられ、隣接する濾過膜エレメントが突部により位置規制されている、請求項１〜４のいずれかに記載の濾過膜モジュール。
【請求項６】
凸部の幅と凹部の幅の差が大きくても２０ｍｍである、請求項１〜５のいずれかに記載の濾過膜モジュール。
【請求項７】
請求項１〜６のいずれかの濾過膜モジュールを被処理液中に浸漬し、濾過膜エレメントの内側から透過水を得ることを特徴とする造水方法。
【請求項８】
ＭＬＳＳ濃度が１，０００ｍｇ／リットル以上である被処理液から透過水を得る、請求項７に記載の造水方法。
【手続補正２】
【補正対象書類名】明細書
【補正対象項目名】００１０
【補正方法】変更
【補正の内容】
【００１０】
【課題を解決するための手段】
上記目的を達成するための本発明は、支持板およびこの支持板の両面に配した濾過膜を有する濾過膜エレメントと、その濾過膜エレメントの複数枚を互いに並行するように収納したハウジングとを有し、濾過膜エレメントの少なくとも一方の外側部には凹部が設けられ、ハウジングの内側部には濾過膜エレメントの凹部が緩嵌する凸部が設けられている濾過膜モジュールを特徴とするものである。
【手続補正３】
【補正対象書類名】図面
【補正対象項目名】図８
【補正方法】変更
【補正の内容】
【図８】
2002326020.tif 000001
【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
処理液に浸漬されて軟化した糊剤の付着しているダイシングフレームを供給される搬送部を形成し、この搬送部の搬送途中に供給側から順に、ダイシングフレームの上下面を摺擦するものとしたブラシ装置と、このブラシ装置で摺擦されたダイシングフレームに注水するための注水ノズル部と、ダイシングフレームに付着した水分を空気流により除去するものとした乾燥装置とを設けたことを特徴とするダイシングフレーム洗浄機。
【請求項２】
真空圧を付与される密閉室を形成し、この密閉室の壁面にダイシングフレームに適合させた細長状の透孔を設けると共に、ダイシングフレームを前記透孔の存在箇所を通過するように搬送する搬送部を設け、ダイシングフレームが前記透孔の存在箇所を通過するとき、このダイシングフレームに付着した水分が前記真空圧の生じさせた密閉室外方からその内方へ向かう空気流により流動飛散され前記真空圧の影響する環境下で蒸発される構成を特徴とするダイシングフレーム乾燥装置。
【請求項３】
真空圧を付与される密閉室を形成し、この密閉室の前壁面と後壁面とにダイシングフレームの厚さと直径とに適合させた細長状の透孔を設けると共に、ダイシングフレームを前記２つの透孔を通じて密閉室を通過するように搬送する搬送部を設け、ダイシングフレームが各透孔を通過するとき、このダイシングフレームに付着した水分が前記真空圧の生成させた密閉室外方からその内方へ向かう空気流により流動飛散され密閉室内で真空圧下で蒸発される構成を特徴とするダイシングフレーム乾燥装置。
【手続補正２】
【補正対象書類名】明細書
【補正対象項目名】０００７
【補正方法】変更
【補正の内容】
【０００７】
また請求項２に記載したダイシングフレーム乾燥装置では、真空圧を付与される密閉室を形成し、この密閉室の壁面にダイシングフレームに適合させた細長状の透孔を設けると共に、ダイシングフレームを前記透孔の存在箇所を通過するように搬送する搬送部を設け、ダイシングフレームが前記透孔の存在箇所を通過するとき、このダイシングフレームに付着した水分が前記真空圧の生じさせた密閉室外方からその内方へ向かう空気流により流動飛散され前記真空圧の影響する環境下で蒸発される構成となす。
さらに詳細には、請求項３に記載したように、真空圧を付与される密閉室を形成し、この密閉室の前壁面と後壁面とにダイシングフレームの厚さと直径とに適合させた細長状の透孔を設けると共に、ダイシングフレームを前記２つの透孔を通じて密閉室を通過するように搬送する搬送部を設け、ダイシングフレームが各透孔を通過するとき、このダイシングフレームに付着した水分が前記真空圧の生成させた密閉室外方からその内方へ向かう空気流により流動飛散され密閉室内で真空圧下で蒸発される構成となす。


【手続補正３】
【補正対象書類名】明細書
【補正対象項目名】００３４
【補正方法】変更
【補正の内容】
【００３４】
請求項２又は３に記載した乾燥装置によれば、ダイシングフレームをこれの表面に不純物の付着しないように高速で乾燥させることができるものである。
【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】
第１および第２リムシートを有するリムと、適当なリム支持面（１１）上にスリップさせることができる弾性変形可能で周方向に伸張不可能なトレッド支持用支持体Sとで構成されている組立体であって、上記支持面（１１）は第１リムシート（１３'）を軸方向内側に延長しており、上記支持面の最小直径（DN）は上記支持面（１１）の軸方向外端部と、外側に向けて傾斜されている上記第１リムシート（１３'）を軸方向外側に延長している高さの低い突出部すなわちハンプ（１５'）の端部との間の任意のリム部分の直径に少なくとも等しく、第２リムシート（１３''）は、子午線方向断面で見て、第１リムシート（１３'）の軸方向内端部（D'A）が位置決めされた円の直径より大きい直径（D''A）の円上に軸方向内端部が位置決めされた母線を有しており、上記２つのシートは支持面（１１）の最小直径の０．０１倍に少なくとも等しい高さの截頭円錐形部分（１７、１４）により軸方向内側に延長されており、これらのシートの母線は回転軸線と少なくとも４５°に等しい角度（α）を形成している組立体において、リム支持面（１１）は、高さｈの少なくとも１つの周方向隆起部（１１５）を備えており、この周方向隆起部（１１５）は、これがトレッド支持用支持体（S）の半径方向内面の周方向溝（３０）の少なくとも１つの横壁部に軸方向に圧接して突き当たるように、上記周方向溝（３０）に配置されていることを特徴とする組立体。
【請求項２】
上記周方向溝は低い軸方向および半径方向寸法のものであり、上記寸法は支持体支持面（１１）の直径（DN）の０．００５倍と０．０２倍との間であることを特徴とする請求項１に記載の組立体。
【請求項３】
支持面（１１）の周方向隆起部（１１５）の最大直径（DP）は多くとも第２リムシート（１３''）の軸方向外端部の直径（D''B）に等しいことを特徴とする請求項１に記載の組立体。
【請求項４】
支持面（１１）の周方向隆起部（１１５）は、２つの横面を有しており、第１リムシート（１３'）に最も近い方の横面は、組立体の回転軸線と１５°と４５°との間である角度（β）を形成している母線を有する截頭円錐形のものであり、第２リムシート（１３''）に最も近い方の横面は、回転軸線と７０°と９０°との間である角度（χ）を形成している母線を有する截頭円錐形のものであり、２つの母線は円弧または直線分により場合により接合されていることを特徴とする請求項１に記載の組立体。
【請求項５】
支持面（１１２）の母線上で見て、第２リムシート（１３''）に最も近い周方向溝（３０）の母線の端部と、同じ第２リムシートに最も近い支持体の軸方向端部との間の軸方向距離（V）が多くとも支持用支持体の半径方向内面の軸方向幅（I）の０．３倍に等しいことを特徴とする請求項１に記載の組立体。
【請求項６】
トレッド支持用支持体（S）はその半径方向内側部分において、伸張不可能な補強要素の補強体（１８）により補強されており、上記補強体は２つの部分、すなわち、支持用支持体Sの基部から多くとも隆起部の高さ（ｈ）と等しい半径方向の距離を隔てて位置決めされた軸方向に第１リムシート（１３'）側の第１部分と、支持体（S）の基部から上記隆起部（１１５）の高さ（ｈ）より大きい距離を半径方向に隔てて位置決めされた第２リムシート（１３''）側の第２部分とに分割されていることを特徴とする請求項１に記載の組立体。
【手続補正書】
【提出日】平成17年8月30日(2005.8.30)
【手続補正１】
【補正対象書類名】明細書
【補正対象項目名】０３７３
【補正方法】変更
【補正の内容】
【０３７３】また、本発明の第五システム効果として、ビデオカメラ群のズームレンズの倍率設定に有用な「倍率楕円形の概念」を利用した結果、全体的・総合的視認性を向上して交通事故を予防することができる。即ち、この倍率楕円形の概念は、車の平面図において、ルーフ上に設置されるビデオカメラ群のズームレンズの倍率を、ルーフ上基点を中心とする倍率楕円形の輪郭線に、各ビデオカメラの視認方向が交わる点と、ルーフ上基点との間の寸法で決めることにより、ビデオカメラ群より伝送されたモニタの映像が、大きなズーム段差なく視認できるので、視線移動時間の短縮と焦点調節負荷の軽減にて、ビデオカメラ群の安全確認性を向上できる。例えば、Ｎｏ．１号視認カメラ装着車の場合は、背面視認用ビデオカメラ（「背面」４Ｊ）には１０倍ズームレンズを、正面視認用ビデオカメラ（「正面」４Ｋ）には１８倍ズームレンズを装着し、一方、車側左横中央後方視認用ビデオカメラ（「左横中後」４Ｄ）や、車側左横中央前方視認用ビデオカメラ（「左横中前」４Ｆ）や、車側右横中央前方視認用ビデオカメラ（「右横中前」４０）や、車側右横中央後方視認用ビデオカメラ（「右横中後」４Ｑ）等には４倍ズームレンズを装着した倍率楕円形から、他のビデオカメラ群のズームレンズの倍率を決定することができる。具体的には、この倍率楕円形は、長軸の後部に当る寸法として、ルーフ上基点から後方に１０をプロットし、長軸の前部に当る寸法を、ルーフ上基点から前方に１８をプロットする。次に、ルーフ上基点から左方に４と、右方に４をプロットして短軸とし、長軸と短軸の先端を曲線で結んで円滑な長楕円形を先ず描くのである。そして、この長楕円形に交わる他のビデオカメラの視認方向線の点とルーフ上基点間の寸法を、そのビデオカメラのズームレンズの倍率とするのである。また、Ｎｏ．２号視認カメラ装着車の倍率楕円形は、長軸の後部に相当する背面視認用ビデオカメラ（「背面」４Ｊ）には１０倍ズームレンズを、長軸の前部に相当する正面視認用ビデオカメラ（「正面」４Ｋ）には１８倍ズームレンズを装着し、短軸に関係する車側左方向視認用ビデオカメラ（「左横」４Ｅ）や、車側右方向視認用ビデオカメラ（「右横」４Ｐ）等には４倍ズームレンズを装着し、他のビデオカメラ群のズームレンズの倍率は、同様に作成された倍率楕円形から決定される。反面、この新概念は、各ビデオカメラ群の視認方向線上に、各ビデオカメラ群のズームレンズの倍率数をプロットして図形を描くと、正面視認用ビデオカメラと、背面視認用ビデオカメラのズームレンズの倍率数を長軸とし、横方向視認用ビデオカメラのズームレンズの倍率数を短軸とした長楕円の「倍率楕円形」を形成するから、先ず、この最適な倍率楕円形を仮設して、全ビデオカメラのズームレンズの倍率を決めることにより、優れた視認性の視認カメラ装着車を創作することもできる。
【手続補正２】
【補正対象書類名】図面
【補正対象項目名】第５図
【補正方法】変更
【補正の内容】
【図５】
2002326540.tif 000001
【手続補正３】
【補正対象書類名】明細書
【補正対象項目名】０３７４
【補正方法】変更
【補正の内容】
【０３７４】また、本発明の第六システム効果として、現在装備されている自動車の機械部分や油圧等の制御機構を電気回路に置換えた先進安全自動車を開発する場合に、Ｎｏ．２８視認カメラ装着車や、Ｎｏ．２９視認カメラ装着車等に示すように、ルーフ上のビデオカメラ群で俯瞰して、車周全方位の交通状況や道路状況を撮像した映像信号を、車室内前部のモニタ群や、車室内の天井周縁部と天井中央部の間に嵌装したモニタ群に伝送された映像を、運転者が車の死角に何ら邪魔されることなく視認して安全運転ができることから、将来において開発される先進安全自動車の安全性を向上するという波及的効果を奏する。
【手続補正４】
【補正対象書類名】明細書
【補正対象項目名】０３９９
【補正方法】変更
【補正の内容】
【０３９９】この移動式モニタボデーを装着した視認カメラ装着車の特徴は、従来の自動車の目視運転よりは遥かに優れた安全確認の容易性と確実性を、本発明のモニタ視認運転が大きく可能としていることである。その結果、ルーフ上のビデオカメラ群から伝送されたモニタ映像の視認運転によって、これまで詳述したように、至難な交通事故防止にシステム効果を数多く奏していることである。即ち、車周全方位の遠近にわたる交通状況を、運転席の至近の移動式モニタボデーに装着した横並びモニタ群の映像や、総合モニタの映像を視認しながら運転できることから、不完全な視認機能を有する従来の自動車を目視運転する場合に比較して、交通事故防止の容易性と確実性において格段に優れており、殊に、運転者がフロントウィンド越しに遠方を見る時の視線移動時間の短縮や、目の焦点調節負荷の軽減や、高速走行時の車両情報確認や、高齢者が車周の安全確認がし易い等の優れた効果を奏している。このことは、ルーフ上にビデオカメラを設け、車室内の天井周縁部と天井中心部の間や、車室内前部にモニタを設けた本発明の総ての視認カメラ装着車のモニタ視認運転が、これまで想像もされなかった優れた効果を数多く奏していることを裏付けている。
【手続補正５】
【補正対象書類名】明細書
【補正対象項目名】０４１３
【補正方法】変更
【補正の内容】
【０４１３】本発明は、至難な交通事故防止の技術的手段として適当な先行技術がなく、交通事故防止対策の技術的構成に大きな困難を伴ったが、これまで知られていなかったルーフ上基点の原理や、ビデオカメラ取付ベースの概念や、倍率楕円形の概念や、横並びモニタ群と総合モニタの映像視認運転が従来の自動車の目視運転に勝る特性や、横並びモニタ群の映像と総合モニタの映像の静的・動的チラツキ性や、新しいビデオカメラとモニタの構成や、新しい各種装置などを利用することにより、相乗的システム効果を奏する多種多様な視認カメラ装着車を創出して、これまで防止することの困難な交通事故を極減することができる。
【手続補正書】
【提出日】平成16年12月16日(2004.12.16)
【手続補正１】
【補正対象書類名】明細書
【補正対象項目名】発明の名称
【補正方法】変更
【補正の内容】
【発明の名称】容器詰飲料
【手続補正２】
【補正対象書類名】明細書
【補正対象項目名】特許請求の範囲
【補正方法】変更
【補正の内容】
【特許請求の範囲】
【請求項１】
非重合体カテキン類を３００〜２５００ｍｇ含有し、非エピ体カテキン類とエピ体カテキン類の含有重量比率が１０：９０以上である体脂肪（たいしぼう）低減のための容器詰飲料。
【請求項２】
器詰非重合体カテキン類を３００〜２５００ｍｇ含有し、非エピ体カテキン類とエピ体カテキン類の含有重量比率が１０：９０以上である体脂肪のための容器詰ダイエット飲料。
【請求項３】
体脂肪が、腹部脂肪量である請求項１又は２記載の容器詰飲料。
【請求項４】
容器詰飲料が、緑茶、烏龍茶である請求項１〜３記載の容器詰飲料。
【請求項５】
茶の抽出物に緑茶抽出物を添加する請求項１〜４記載の容器詰飲料。
【請求項６】
非重合体カテキン類からなる蓄積体脂肪燃焼促進剤。
【請求項７】
非重合体カテキン類からなる食事性脂肪燃焼促進剤。
【請求項８】
非重合体カテキン類からなる肝臓ベータ酸化遺伝子発現促進剤。
【手続補正３】
【補正対象書類名】明細書
【補正対象項目名】０００１
【補正方法】変更
【補正の内容】
【０００１】
【発明の属する技術分野】本発明は、健康維持のために有用な蓄積体脂肪燃焼促進、食事性脂肪燃焼促進及び肝臓ベータ酸化遺伝子発現促進を有し、かつ普段の食生活の中で毎日無理なく安心して継続摂取できる体脂肪低減のための容器詰飲料並びに蓄積体脂肪燃焼促進剤、食事性脂肪燃焼促進剤及び肝臓ベータ酸化遺伝子発現促進剤に関する。
【手続補正４】
【補正対象書類名】明細書
【補正対象項目名】０００６
【補正方法】変更
【補正の内容】
【０００６】
【発明が解決しようとする課題】  本発明は、脂肪を燃焼し腹部への脂肪蓄積を低減する効果を発現し、普段の食生活の中で毎日無理なく安心して継続摂取できる飲料並びに体内に貯えられた脂肪を燃やす蓄積体脂肪燃焼促進剤、食した脂肪を燃やす食事性脂肪燃焼促進剤及び肝臓のベータ酸化関連分子の発現が誘導され脂肪代謝が活性化される肝臓ベータ酸化遺伝子発現促進剤を提供することにある
【手続補正５】
【補正対象書類名】明細書
【補正対象項目名】０００８
【補正方法】変更
【補正の内容】
【０００８】
本発明は、非重合体カテキン類からなる体脂肪（たいしぼう）低減のための容器詰飲料及び体脂肪のための容器詰ダイエット飲料を提供するものである。本発明は、非重合体カテキン類からなる蓄積体脂肪燃焼促進剤を提供するものである。また、本発明は、非重合体カテキン類からなる食事性脂肪燃焼促進剤を提供するものである。さらに、本発明は、非重合体カテキン類からなる肝臓ベータ酸化遺伝子発現促進剤を提供するものである。
【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
結腸直腸癌患者における結腸直腸癌の成長または転移を阻害することにおける、同時、別々または逐次投与用医薬品（単数または複数）の製造における、５−フルオロウラシル（５−ＦＵ）およびメチロール移行剤の使用。
【請求項２】
前記５−フルオロウラシル（５−ＦＵ）および前記メチロール移行剤が、別々の薬剤投与量単位としてそれぞれ存在する請求項１記載の使用。
【請求項３】
前記メチロール移行剤が、タウロリジン、タウルルタムおよびそれらの混合物からなる群から選択される請求項１または２記載の使用。
【請求項４】
結腸直腸癌患者における結腸直腸癌の成長または転移を阻害するための、同時、別々または逐次投与に有効量の５−フルオロウラシル（５−ＦＵ）およびメチロール移行剤を含む組合せ治療剤。
【請求項５】
前記５−フルオロウラシル（５−ＦＵ）および前記メチロール移行剤が、別々の薬剤投与量単位としてそれぞれ存在する請求項４記載の組合せ治療剤。
【請求項６】
前記メチロール移行剤が、タウロリジン、タウルルタムおよびそれらの混合物からなる群から選択される請求項４または５記載の組合せ治療剤。
【手続補正書】
【提出日】平成16年8月17日(2004.8.17)
【手続補正１】
【補正対象書類名】明細書
【補正対象項目名】図２
【補正方法】変更
【補正の内容】
【図２】  患者より摘出したケロイド片における多数の線維芽細胞のコラーゲンＩＩＩ型抗体陽性反応を示す顕微鏡写真を表す図である。図中、←は線維束を、小さい矢印は線維芽細胞を示す。（倍率：１８０倍）
【手続補正２】
【補正対象書類名】明細書
【補正対象項目名】図７
【補正方法】変更
【補正の内容】
【図７】  図５と同一標本（マウス血清３回処置）の第８因子抗体陽性反応を示す顕微鏡写真を表す図である。図中、←は内皮細胞質の突起を示す。（倍率：７２０倍）
【手続補正３】
【補正対象書類名】明細書
【補正対象項目名】図２３
【補正方法】変更
【補正の内容】
【図２３】  図１９と同一培養片（生食４回処置）の第８因子陽性部位を示す顕微鏡写真を表す図である。図中、←は血管内皮細胞を、←←は単球を、矢尻は線維芽細胞の核を、矢尻２個はリンパ球を示す。（倍率：３６０倍）
【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
インクジェット印刷用定着剤調合物のための添加剤であって、
金属塩を含有し、
前記定着剤調合物が正に帯電したポリマーを含むことからなる添加剤。
【請求項２】
前記金属塩が、二価金属イオンを含む、請求項１記載の添加剤。
【請求項３】
前記金属イオンが、Ｃｕ、Ｃｏ、Ｎｉ、Ｔｉ、Ｐｔ、Ｐｄ、Ｃｄ、Ｖ、Ｈｇ、Ｃｒ及びＭｎから成る群より選択されたものを含む、請求項２記載の添加剤。
【請求項４】
前記金属イオンが、二価の銅を含む、請求項３記載の添加剤。
【請求項５】
前記金属塩が、Ｃｌ−、Ｂｒ−、ＳＯ４２−、ＣＨ３ＣＯ２−、ＰＯ４３−及びＮＯ３−からなる群より選択されたものを含む、請求項１記載の添加剤。
【請求項６】
前記金属塩が、水和物からなる、請求項１記載の添加剤。
【請求項７】
前記正に帯電したポリマーが、第四窒素原子又はプロトン化によりカチオン化された窒素原子を含む、請求項１記載の添加剤。
【請求項８】
前記正に帯電したポリマーが、ポリ（エチレンイミン）又はメチル化ポリ（エチレンイミン）を含む、請求項７記載の添加剤。
【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
(a)  着色剤を含むインクを基体上にインクジェット印刷し、及び
(b)  (a)による前記基体を可融親水性ポリマーを含む透明トナーに曝すことからなる、
永続性インクジェット画像の作成方法。
【請求項２】
(a)  基体を可融親水性ポリマーを含んで成る透明トナーに曝し、及び
(b)  着色剤を含んで成るインクを(a)による前記基体上にインクジェット印刷することからなる、永続性インクジェット画像の作成方法。
【請求項３】
(a)の前記基体が所定の極性に帯電しており、且つ
(b)の前記基体が定着に供される、請求項１又は２に記載の方法。
【請求項４】
前記インクジェット印刷に、サーマルインクジェットプリンタが使用される、請求項１又は２に記載の方法。
【請求項５】
インクジェット印刷に、圧電式インクジェットプリンタが使用される、請求項１又は２に記載の方法。
【請求項６】
前記トナーが、50から180℃のTgを有する、請求項１又は２に記載の方法。
【請求項７】
前記トナーが、50から90℃のTgを有する、請求項６に記載の方法。
【請求項８】
前記トナーが、400から3000ｇ／10分のＭＩを有する、請求項１又は２に記載の方法。
【請求項９】
前記トナーが、1800から2500ｇ／10分のＭＩを有する、請求項８に記載の方法。
【請求項１０】
前記トナーが、2000から2250ｇ／10分のＭＩを有する、請求項９に記載の方法。
【請求項１１】
前記可融親水性ポリマーが、乳酸キトサン、ポリアクリル酸、ポリスチレン−無水マレイン酸誘導体類、ロジン−無水マレイン酸誘導体類、ポリアビエチン酸誘導体類、ポリアミド類、ポリオレフィン−アクリレート類及びスチレン化ポリアクリレート類から成る群から選択される、請求項１又は２に記載の方法。
【請求項１２】
前記可融親水性ポリマーが、5000の分子量を有する、請求項１１に記載の方法。
【請求項１３】
前記可融親水性ポリマーが、イオン性又は親水性の界面基を有する、請求項１又は２に記載の方法。
【請求項１４】
前記イオン性又は親水性の界面基が、カルボキシレート、PEG、スルホネート、第四級アンモニウム及びホスホニウムから成る群から選択される、請求項１３に記載の方法。
【請求項１５】
前記可融親水性ポリマーが、水分散性であり且つ５から10マイクロメートルのサイズを有する、請求項１又は２に記載の方法。
【請求項１６】
インクジェットインクと、可融親水性ポリマーを含む静電トナーとからなる独立した領域群と、前記インクジェットインクと前記静電トナーとを有さない独立した領域群とからなる、基体上に定着している画像。
【請求項１７】
前記基体が普通紙である、請求項１６に記載の画像。
【請求項１８】
前記基体が透明紙である、請求項１６に記載の画像。
【請求項１９】
(a)  前記基体を所定の極性に帯電させるステップと、
(b)  前記基体上に流体をインクジェット印刷するステップと、
(c)  ステップ(b)による前記基体を、ステップ(a)における前記基体と同じ極性を有する透明トナーに曝すステップと、
(d)  ステップ(c)による前記基体を定着に供するステップと、
によって作り出される、請求項１６に記載の画像。
【請求項２０】
インクジェットプリンタエンジンと、
可融親水性ポリマーを含んで成る静電トナーを適用するための現像メカニズムと、
帯電ユニットと、
定着器と、
を含んで成る印刷システム。
【請求項２１】
前記インクジェットプリンタエンジンが、サーマルインクジェットプリンタである、請求項２０に記載の印刷システム。
【請求項２２】
前記帯電ユニットが、コロトロンである、請求項２０に記載の印刷システム。
【請求項２３】
前記現像メカニズムが、帯電ローラ、透明トナーホッパ、撹拌器、ワイパーブレード及びAC/DC電圧バイアス源を含む、請求項２０に記載の印刷システム。
【手続補正書】
【提出日】平成17年4月11日(2005.4.11)
【手続補正１】
【補正対象書類名】明細書
【補正対象項目名】特許請求の範囲
【補正方法】変更
【補正の内容】
【特許請求の範囲】
【請求項１】
第１の材料から形成され、かつ内側表面及び外側表面を有する中空のコアと、
第２の材料から形成され、かつ前記中空のコアの部分を囲むスリーブとを備え、
該スリーブが、前記中空のコアの内側表面の部分を囲む内側部分、及び前記中空のコアの外側表面の部分を囲む外側部分を有することを特徴とする、
画像形成装置におけるプリント媒体に接触するように適合されたローラ。
【請求項２】
前記第２の材料がゴム材料であることを特徴とする、請求項１に記載のローラ。
【請求項３】
前記第１の材料がプラスチック材料であることを特徴とする、請求項２に記載のローラ。
【請求項４】
前記中空のコアが、第１の端部及び第２の端部を有し、前記スリーブの内側部分が、中空のコアの第１の端部と第２の端部との間に延びていることを特徴とする、請求項１に記載のローラ。
【請求項５】
前記スリーブの外側部分が、前記中空のコアの第１の端部と第２の端部との間に延びていることを特徴とする、請求項４に記載のローラ。
【請求項６】
前記スリーブの外側部分が、前記中空のコアの第１の端部から第２の端部に向かって延びる第１の部分と、中空のコアの第２の端部から第１の端部に向かって延びる第２の部分とを備え、前記第１の部分及び第２の部分が、前記中空のコア上において軸線方向に間隔を置いて形成されていることを特徴とする、請求項４に記載のローラ。
【請求項７】
第１の材料から形成され、かつ内側表面及び外側表面を有する中空のコアを設けるステップと、
第２の材料から形成されたスリーブによって前記中空のコアの部分を囲むことによって、該スリーブの内側部分で前記中空のコアの内側表面の部分を囲み、かつ前記スリーブの外側部分によって前記中空のコアの外側表面の部分を囲むステップを含んでなることを特徴とする、
画像形成装置のためのローラを形成する方法。
【請求項８】
前記第２の材料がゴム材料であることを特徴とする、請求項７に記載の方法。
【請求項９】
前記第１の材料がプラスチック材料であることを特徴とする、請求項８に記載の方法。
【請求項１０】
前記中空のコアが、第１の端部及び第２の端部を有し、前記中空のコアの内側表面を囲むことが、前記第１の端部から第２の端部まで前記中空のコアの内側表面を囲むことを含むことを特徴とする、請求項７に記載の方法。
【請求項１１】
前記中空のコアの外側表面を囲むことが、前記第１の端部から第２の端部まで前記中空のコアの外側表面を囲むことを含むことを特徴とする、請求項１０に記載の方法。
【請求項１２】
前記スリーブの外側部分が、前記中空のコアの第１の端部から第２の端部に向かって延びる第１の部分と、前記中空のコアの第２の端部から第１の端部に向かって延びる第２の部分とを備え、前記中空のコアの外側表面を囲むことが、第１の部分及び該第１の部分から軸線方向に間隔を置いた第２の部分によって前記中空のコアの外側表面を囲むことを含むことを特徴とする、請求項１０に記載の方法。
【請求項１３】
軸、及び、
該軸上に取り付けられた少なくとも１つのローラを備え、該ローラが、中空のコア、該中空のコアの内側表面の部分を囲む内側スリーブ、及び該中空のコアの外側表面の部分を囲む外側スリーブを有し、前記中空のコアが、第１の材料から形成され、前記内側スリーブ及び外側スリーブが第２の材料から形成され、かつ、前記内側スリーブが前記軸に接触していることを特徴とする、
プリント媒体送りアセンブリー。
【請求項１４】
前記第２の材料がゴム材料であることを特徴とする、請求項１３に記載のプリント媒体送りアセンブリー。
【請求項１５】
前記第１の材料がプラスチック材料であることを特徴とする、請求項１４に記載のプリント媒体送りアセンブリー。
【請求項１６】
前記ローラの内側スリーブが、ローラを回転させるために摩擦によって前記軸に連結されていることを特徴とする、請求項１３に記載のプリント媒体送りアセンブリー。
【手続補正書】
【提出日】平成17年3月25日(2005.3.25)
【手続補正１】
【補正対象書類名】明細書
【補正対象項目名】発明の名称
【補正方法】変更
【補正の内容】
【発明の名称】携帯用電動工具の集塵装置及び携帯用電動工具と集塵機とからなる集塵システム
【手続補正２】
【補正対象書類名】明細書
【補正対象項目名】特許請求の範囲
【補正方法】変更
【補正の内容】
【特許請求の範囲】
【請求項１】
電源に接続される電源コード、該電源コードより供給される電圧により駆動する電動機、該電動機の回転を受け駆動する駆動部材、該駆動部材の駆動により発生する粉塵を排出する排出口を備えた携帯用電動工具と、前記排出口に接続可能な集塵ホースを有する集塵機とからなる携帯用電動工具の集塵装置であって、前記携帯用電動工具の前記電源コードを短くすると共に、前記集塵ホースに電源と前記電源コードとを電気的に接続可能な延長コードを前記集塵ホースと連動するよう取付ける取付け部材を設けたことを特徴とする携帯用電動工具の集塵装置。
【請求項２】
前記取付け部材は円筒形状で前記集塵ホースと前記延長コードを覆うカバーとしたことを特徴とする請求項１記載の携帯用電動工具の集塵装置。
【請求項３】
前記カバーは、少なくとも一端に内径を縮小させることができる締付け部を設けたことを特徴とする請求項２記載の携帯用電動工具の集塵装置。
【請求項４】
前記カバーに導電性を持たせたことを特徴とする請求項２記載の携帯用電動工具の集塵装置。
【請求項５】
電源コード、該電源コードより供給される電圧により駆動する電動機、該電動機の回転を受け駆動する駆動部材、該駆動部材の駆動により発生する粉塵を排出する排出口を備えた携帯用電動工具と、前記排出口に接続可能な集塵ホース、電源供給部を有する集塵機とからなる集塵システムであって、前記集塵ホースには、一端が前記集塵機の前記電源供給部と接続可能で他端が前記携帯用電動工具の前記電源コードと接続可能で、前記集塵ホースと同程度の長さを有する延長コードが前記集塵ホースと連動するように取付けられると共に、前記電源コードは前記排出口付近まで延びる程度の長さを有することを特徴とする携帯用電動工具と集塵機とからなる集塵システム。
【手続補正３】
【補正対象書類名】明細書
【補正対象項目名】０００１
【補正方法】変更
【補正の内容】
【０００１】
【発明の属する技術分野】
本発明は、集塵ホースを有する集塵機と、集塵ホースを接続可能な携帯用電動工具とからなる携帯用電動工具の集塵装置及び携帯用電動工具と集塵機とからなる集塵システムに関するものである。
【手続補正書】
【提出日】平成17年2月14日(2005.2.14)
【手続補正１】
【補正対象書類名】明細書
【補正対象項目名】特許請求の範囲
【補正方法】変更
【補正の内容】
【特許請求の範囲】
【請求項１】
データ記憶装置であって、
記憶媒体（40）と、
前記記憶媒体（40）内のナノメートルスケールのデータ記憶領域と、
前記記憶媒体（40）に非常に接近して配置されるエネルギー放射先端部（20）と、
前記エネルギー放射先端部（20）と前記記憶媒体（40）との間に配置される流動媒体（90）と、及び
前記流動媒体（90）内に含まれる粒子（100）とを含む、データ記憶装置。
【請求項２】
前記エネルギー放射先端部（20）が電子を放射する、請求項１に記載のデータ記憶装置。
【請求項３】
前記流動媒体（90）が磁性流体からなる、請求項１に記載のデータ記憶装置。
【請求項４】
前記粒子（100）が、導電性材料、誘電性材料および常誘電性材料からなるグループから選択された材料からなる、請求項１に記載のデータ記憶装置。
【請求項５】
データ記憶装置であって、
記憶媒体（40）と、
前記記憶媒体（40）内のナノメートルスケールの記憶領域と、
前記記憶媒体（40）に非常に接近して配置されるエネルギー放射先端部（20）と、及び
前記エネルギー放射先端部（20）と前記記憶媒体（40）との間に配置される分子（120）とを含む、データ記憶装置。
【請求項６】
前記分子（120）が、一次元導体分子からなる、請求項５に記載のデータ記憶装置。
【請求項７】
前記一次元導体分子が、ジオール、重合体、界面活性剤、およびナノチューブからなるグループから選択される、少なくとも１つのタイプの分子からなる、請求項６に記載のデータ記憶装置。
【請求項８】
データを記憶する方法であって、
ナノメートルスケールのデータ記憶領域を含む記憶媒体（40）を準備するステップと、
前記記憶媒体（40）に非常に接近してエネルギー放射先端部（20）を配置するステップと、
前記エネルギー放射先端部（20）から放射されるエネルギーを、前記データ記憶領域に誘導するステップと、
前記記憶領域の状態を、前記放射され、誘導されたエネルギーで変更するステップとを含む、方法。
【請求項９】
前記誘導するステップが、前記記憶媒体（40）と前記エネルギー放射先端部（20）との間に配置される導体分子（120）を介して放射されるエネルギーを導くステップを含む、請求項８に記載の方法。
【請求項１０】
前記誘導するステップが、前記記憶媒体（40）と前記エネルギー放射先端部（20）との間の流動媒体（90）内の粒子（100）を介して放射されるエネルギーを導くステップを含む、請求項８に記載の方法。
【手続補正２】
【補正対象書類名】明細書
【補正対象項目名】０００２
【補正方法】変更
【補正の内容】
【０００２】
【従来の技術】
最近、科学者達は、代替的な超高密度のデータ記憶装置、および超高密度データ記憶装置を動作させるために有用な技術を開発している。これらの装置および技術は、ナノメートルスケールに形成された記憶領域内にデータビットを格納し、従来のデータ記憶装置より優れた利点を有する。これらの利点の中には、データビットへのアクセスが速いこと、ビット当たりのコストが低いこと、およびより小型の電子装置を製造可能にすることがある。
【手続補正書】
【提出日】平成17年2月7日(2005.2.7)
【手続補正１】
【補正対象書類名】明細書
【補正対象項目名】特許請求の範囲
【補正方法】変更
【補正の内容】
【特許請求の範囲】
【請求項１】
第１のシグナリングレベルを有する第１の信号を供給する電子装置と、該第１の信号を受信し、低電圧差動シグナリング（ＬＶＤＳ）レベルを有する第２の信号に前記第１の信号を変換する低電圧差動シグナリング（ＬＶＤＳ）ドライバとを含む電子コントローラと、
該低電圧差動シグナリング（ＬＶＤＳ）ドライバに接続され、前記第２の信号を搬送するケーブルと、
該ケーブルに接続され、前記第２の信号を受信し、第３のシグナリングレベルを有する第３の信号に前記第２の信号を変換する低電圧差動シグナリング（ＬＶＤＳ）受信機を含むインクジェットプリントヘッドアセンブリと
を含んでなるインクジェットプリンティングシステム。
【請求項２】
前記第１のシグナリングレベルが、トランジスタ−トランジスタロジック（ＴＴＬ）シグナリングレベルまたは相補形金属酸化膜半導体（ＣＭＯＳ）シグナリングレベルを含んでいる請求項１に記載のインクジェットプリンティングシステム。
【請求項３】
前記第３のシグナリングレベルが、トランジスタ−トランジスタロジック（ＴＴＬ）シグナリングレベルか、または相補形金属酸化膜半導体（ＣＭＯＳ）シグナリングレベルを含んでいる請求項１または２に記載のインクジェットプリンティングシステム。
【請求項４】
前記インクジェットプリントヘッドアセンブリが、前記低電圧差動シグナリング（ＬＶＤＳ）受信機を有する少なくとも１つのプリントヘッドを含んでいる請求項１に記載のインクジェットプリンティングシステム。
【請求項５】
前記インクジェットプリントヘッドアセンブリが、
キャリアと、
該キャリア上に配置されるＮ個のプリントヘッドと、
該キャリア上に配置され、前記低電圧差動シグナリング（ＬＶＤＳ）受信機を含み、前記第３の信号に基づいて前記Ｎ個のプリントヘッドに第４の信号を与えるモジュールマネージャと
を含んでなる請求項１に記載のインクジェットプリンティングシステム。
【請求項６】
前記インクジェットプリントヘッドアセンブリが、
前記第３のシグナリングレベルを有する第４の信号を与える電子装置と、
前記ケーブルに接続され、前記第４の信号を受信し、前記低電圧差動シグナリング（ＬＶＤＳ）レベルを有する第５の信号に前記第４の信号を変換する低電圧差動シグナリング（ＬＶＤＳ）ドライバと
をさらに含んでいる請求項１に記載のインクジェットプリンティングシステム。
【請求項７】
前記電子コントローラが、前記ケーブルに接続され、前記第５の信号を受信し、前記電子コントローラの前記電子装置に与えられる前記第１のシグナリングレベルを有する第６の信号に前記第５の信号を変換する低電圧差動シグナリング（ＬＶＤＳ）受信機をさらに含んでいる請求項６に記載のインクジェットプリンティングシステム。
【請求項８】
インクジェットプリンティングシステムにおいて、電子コントローラに接続されるケーブルに接続するように構成されるインクジェットプリントヘッドアセンブリであって、
低電圧差動シグナリング（ＬＶＤＳ）レベルを有する第１の信号を受信し、第２のシグナリングレベルを有する第２の信号に前記第１の信号を変換するために、前記ケーブルに接続するように構成される低電圧差動シグナリング（ＬＶＤＳ）受信機と、
前記第２の信号を受信するように構成される電子装置と
を含んでなるインクジェットプリントヘッドアセンブリ。
【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】
感光体の周面を、複数の発光素子を等間隔に直線状に配置した複数の発光素子アレイを前記感光体の回転軸と平行な方向に直列に配列した基板を有する露光ヘッドによって露光して該周面に静電潜像を形成し、該静電潜像部に付着するトナーを、前記感光体の回転軸と直交する方向に搬送される記録媒体へ転写する画像形成機構を複数有するカラー画像記録装置において、
前記画像形成機構の各感光体の回転軸が互いに平行となるように前記画像形成機構を複数配置し、更に該画像形成機構の各前記露光ヘッドに配列された発光素子アレイの各隣接箇所が、前記回転軸方向において互いにずれた位置となるように構成したことを特徴とするカラー画像記録装置。
【請求項２】
複数の前記画像形成機構は、前記記録媒体の搬送路が略同一平面上に形成されるよう配置されたことを特徴とする請求項１記載のカラー画像形成装置。
【請求項３】
前記各画像形成機構を、前記回転軸方向において互いにずらして配置したことを特徴とする請求項１記載のカラー画像記録装置。
【請求項４】
前記各画像形成機構の前記露光ヘッドにおいて、各々の前記基板を、前記回転軸方向において互いにずらして配置したことを特徴とする請求項１記載のカラー画像記録装置。
【請求項５】
感光体の周面を、複数のＬＥＤを等間隔に直線状に配置した複数のＬＥＤアレイを前記感光体の回転軸と平行な方向に直列に配列した基板を有する露光ヘッドによって露光して該周面に静電潜像を形成し、該静電潜像部に付着するトナーを、前記感光体の回転軸と直交する方向に搬送される記録媒体へ転写する画像形成機構を複数有するカラー画像記録装置において、
前記画像形成機構の各感光体の回転軸が互いに平行となるように前記画像形成機構を複数配置し、更に該画像形成機構の各前記露光ヘッドに配列されたＬＥＤアレイの各隣接箇所が、前記回転軸方向において互いにずれた位置となるように構成したことを特徴とするカラー画像記録装置。
【手続補正２】
【補正対象書類名】明細書
【補正対象項目名】０００９
【補正方法】変更
【補正の内容】
【０００９】
【課題を解決するための手段】
請求項１のカラー画像記録装置は、感光体の周面を、複数の発光素子を等間隔に直線状に配置した複数の発光素子アレイを前記感光体の回転軸と平行な方向に直列に配列した基板を有する露光ヘッドによって露光して該周面に静電潜像を形成し、該静電潜像部に付着するトナーを、前記感光体の回転軸と直交する方向に搬送される記録媒体へ転写する画像形成機構を複数有するカラー画像記録装置であって、
前記画像形成機構の各感光体の回転軸が互いに平行となって、前記記録媒体の搬送路が略同一平面上に形成されるように前記画像形成機構を複数配置し、更に該画像形成機構の各前記露光ヘッドに配列された発光素子アレイの各隣接箇所が、前記回転軸方向において互いにずれた位置となるように構成したことを特徴とする。
また、請求項２のカラー画像形成装置は、請求項１記載のカラー画像記録装置において、複数の前記画像形成機構は、前記記録媒体の搬送路が略同一平面上に形成されるよう配置されたことを特徴とする。
【手続補正３】
【補正対象書類名】明細書
【補正対象項目名】００１０
【補正方法】変更
【補正の内容】
【００１０】
また、請求項３のカラー画像記録装置は、請求項１記載のカラー画像記録装置において、前記各画像形成機構を、前記回転軸方向において互いにずらして配置したことを特徴とする。


【手続補正４】
【補正対象書類名】明細書
【補正対象項目名】００１１
【補正方法】変更
【補正の内容】
【００１１】
また、請求項４のカラー画像記録装置は、請求項１記載のカラー画像記録装置において、前記各画像形成機構の前記露光ヘッドにおいて、各々の前記基板を、前記回転軸方向において互いにずらして配置したことを特徴とする。
更に、請求項５のカラー画像記録装置は、感光体の周面を、複数のＬＥＤを等間隔に直線状に配置した複数のＬＥＤアレイを前記感光体の回転軸と平行な方向に直列に配列した基板を有する露光ヘッドによって露光して該周面に静電潜像を形成し、該静電潜像部に付着するトナーを、前記感光体の回転軸と直交する方向に搬送される記録媒体へ転写する画像形成機構を複数有するカラー画像記録装置において、前記画像形成機構の各感光体の回転軸が互いに平行となるように前記画像形成機構を複数配置し、更に該画像形成機構の各前記露光ヘッドに配列されたＬＥＤアレイの各隣接箇所が、前記回転軸方向において互いにずれた位置となるように構成したことを特徴とする。
【手続補正５】
【補正対象書類名】明細書
【補正対象項目名】００７７
【補正方法】変更
【補正の内容】
【００７７】
【発明の効果】
請求項１，２，３又は５のカラー画像記録装置によれば、ＬＥＤヘッドの製造上避けられないＬＥＤアレイの配置むらによる印字濃度の低い部分も、各色のトナー画像毎にずれて形成されるため、各色を記録紙上に重ね合わせることによって、濃淡差の小さい高品質なカラー画像が可能となる。


【手続補正６】
【補正対象書類名】明細書
【補正対象項目名】００７８
【補正方法】変更
【補正の内容】
【００７８】
また、請求項４のカラー画像記録装置によれば、請求項１、２又は３のカラー画像記録装置の効果に加え、各画像形成機構及びこれを取付けるためのブラケット等の保持手段を共通部品で構成することが可能となり、部品の種類が減ることによって装置のコスト削減に寄与できる。
【手続補正書】
【提出日】平成16年4月1日(2004.4.1)
【手続補正１】
【補正対象書類名】明細書
【補正対象項目名】発明の名称
【補正方法】変更
【補正の内容】
【発明の名称】アレイ状素子駆動回路、アレイ状素子駆動ヘッド、発光素子アレイ駆動回路、発光素子アレイヘッド、及び画像記録装置
【手続補正２】
【補正対象書類名】明細書
【補正対象項目名】特許請求の範囲
【補正方法】変更
【補正の内容】
【特許請求の範囲】
【請求項１】
共通の電源から供給される電源電圧と共通のラインを介して供給される制御電圧との差に応じた値の駆動電流をアレイ状に配列された被駆動素子にそれぞれ選択的に供給する駆動素子列と、前記共通のラインに接続され前記制御電圧を発生する制御電圧発生手段とが同一チップ上に形成され、前記制御電圧発生手段は、該手段に隣接する駆動素子が供給する駆動電流が所定の値に維持されるように前記制御電圧の値を制御するアレイ状素子駆動回路において、
該制御電圧発生手段を複数設けるとともに、前記駆動素子列の両端の駆動素子にそれぞれ隣接して駆動電流の検出素子を設けたことを特徴とするアレイ状素子駆動回路。
【請求項２】
共通の電源から供給される電源電圧と共通のラインを介して供給される制御電圧との差に応じた値の駆動電流をアレイ状に配列された被駆動素子にそれぞれ選択的に供給する駆動素子列と、前記共通のラインに接続され前記制御電圧を発生する制御電圧発生手段とが同一チップ上に形成され、前記制御電圧発生手段は、該手段に隣接する駆動素子が供給する駆動電流が所定の値に維持されるように前記制御電圧の値を制御するアレイ状素子駆動回路において、
駆動電流の検出手段を前記駆動素子列の中央の駆動素子に隣接して設け、
前記共通のラインの電位を調整するために、該共通のラインの各端部に調整電圧をそれぞれ印加する制御電圧調整手段を設けたことを特徴とするアレイ状素子駆動回路。
【請求項３】
共通の電源から供給される電源電圧と共通のラインを介して供給される制御電圧との差に応じた値の駆動電流をアレイ状に配列された被駆動素子にそれぞれ選択的に供給する駆動素子列と、前記共通のラインに接続され前記制御電圧を発生する制御電圧発生手段とが同一チップ上に形成され、前記制御電圧発生手段は、該手段に隣接する駆動素子が供給する駆動電流が所定の値に維持されるように前記制御電圧の値を制御するアレイ状素子駆動回路において、
該制御電圧発生手段へ接続される複数の電流検出手段を前記駆動素子列の両端の駆動素子にそれぞれ隣接して設け、
前記共通のラインの電位を調整するために、該共通のラインの各端部に調整電圧をそれぞれ印加する制御電圧調整手段を設けたことを特徴とするアレイ状素子駆動回路。
【請求項４】
請求項１から３のいずれかに記載のアレイ状素子駆動回路が複数カスケード接続されてなるアレイ状素子駆動ヘッド。
【請求項５】
前記アレイ状素子駆動回路は、電子写真プリンタに発光源として使用されるアレイ状ＬＥＤ素子を駆動するドライバＩＣであることを特徴とする請求項４に記載のアレイ状素子駆動用ヘッド。
【請求項６】
複数の発光素子列を配列してなる発光素子列と、
前記複数の発光素子列の各々に制御電圧に応じた駆動電流を供給する複数の駆動素子を配列してなる駆動素子列と、
前記制御電圧をそれぞれ発生する複数の制御電圧発生手段と、
前記駆動素子列の各端部側に配列され、各端部側の駆動素子が供給する駆動電流を検出する検出素子とを備え、
前記複数の制御電圧発生手段は、前記制御電圧を前記検出素子が検出した駆動電流に応じた値に制御することを特徴とする発光素子アレイ駆動回路。
【請求項７】
請求項６に記載の発光素子アレイ駆動回路を複数接続してなる発光素子アレイヘッド。
【請求項８】
請求項７に記載の発光素子アレイヘッドにより静電潜像を形成し、該静電潜像にトナーを付着させてトナー像を形成し、該トナー像を用紙に転写し定着させて印刷を行う画像記録装置。
【手続補正３】
【補正対象書類名】明細書
【補正対象項目名】０００１
【補正方法】変更
【補正の内容】
【０００１】
【発明の属する技術分野】
本発明は、アレイ状に配列された素子、例えば、電子写真プリンタに発光源として使用されるアレイ状のＬＥＤ素子（発光ダイオード）、サーマルプリンタに発熱源として使用されるアレイ状の発熱抵抗体を駆動する回路、ヘッド及び画像記録装置に関する。


【手続補正４】
【補正対象書類名】明細書
【補正対象項目名】００３５
【補正方法】変更
【補正の内容】
【００３５】
請求項１から３のいずれかに記載のアレイ状素子駆動回路を複数カスケード接続して、電子写真プリンタのアレイ状ＬＥＤ素子を駆動するＬＥＤヘッドを構成することができる。
また、請求項６に記載の発光素子アレイ駆動回路は、複数の発光素子列を配列してなる発光素子列と、
前記複数の発光素子列の各々に制御電圧に応じた駆動電流を供給する複数の駆動素子を配列してなる駆動素子列と、
前記制御電圧をそれぞれ発生する複数の制御電圧発生手段と、
前記駆動素子列の各端部側に配列され、各端部側の駆動素子が供給する駆動電流を検出する検出素子とを備え、
前記複数の制御電圧発生手段は、前記制御電圧を前記検出素子が検出した駆動電流に応じた値に制御することを特徴とする。
請求項６に記載の発光素子駆動回路を複数接続して発光素子アレイヘッドを構成することができる。また、このような発光素子アレイヘッドにより静電潜像を形成し、該静電潜像にトナーを付着させてトナー像を形成し、該トナー像を用紙に転写し定着させて印刷を行うことができる。
【手続補正５】
【補正対象書類名】明細書
【補正対象項目名】００７９
【補正方法】変更
【補正の内容】
【００７９】
【発明の効果】
本発明によれば、ヘッド全体でみた駆動電流のドット間ばらつきが小さく、且つチップの継ぎ目での駆動電流の段差が小さいアレイ状素子駆動回路、ヘッド及び画像記録装置が提供される。
【手続補正書】
【提出日】平成16年4月30日(2004.4.30)
【手続補正１】
【補正対象書類名】明細書
【補正対象項目名】００３８
【補正方法】変更
【補正の内容】
【００３８】
点Ｐxから点Ｐ2までの長さｎ、および点Ｐxから点Ｐ０までの長さｍは、式（１１）および式（１２）から、次の式（１３）および式（１４）で示される。
【手続補正２】
【補正対象書類名】図面
【補正対象項目名】図２
【補正方法】変更
【補正の内容】
【図２】
1999051609.tif 000001